(57)【要約】【課題】全プロジェクタによる画像表示を所望の時間継続して行うことができる画像表示システムを提供すること。【解決手段】  画像表示システムは、光源及び該光源に電力を供給するバッテリー（電池）をそれぞれが有する複数のプロジェクタから画像情報に基づいて変調された光を投射させて画像を表示する画像表示システムであり、複数のプロジェクタのバッテリーの残量のうち最少の残量に基づいて、複数のプロジェクタの光源の発光光量を制御する。この場合、複数のプロジェクタによる画像表示を所望の時間継続して行うことができる。【選択図】図４
2015146524.tif 000002
【特許請求の範囲】
【請求項１】
光源及び該光源に電力を供給する電池をそれぞれが有する複数のプロジェクタから画像情報に基づいて変調された光を投射させて画像を表示する画像表示システムにおいて、
前記複数のプロジェクタの光源の発光光量を、前記複数のプロジェクタの電池の残量のうち最少の残量に基づいて制御可能なことを特徴とする画像表示システム。
【請求項２】
前記複数のプロジェクタの光源の発光光量を前記最少の残量に基づいて制御するとき、前記複数のプロジェクタの光源の発光光量をほぼ等しくすることを特徴とする請求項１に記載の画像表示システム。
【請求項３】
前記複数のプロジェクタの光源の発光光量を前記最少の残量に基づいて制御するとき、前記複数のプロジェクタの光源の発光光量を前記画像が予め指定された時間継続して表示されるように設定することを特徴とする請求項１又は２に記載の画像表示システム。
【請求項４】
前記複数のプロジェクタは、互いに通信接続され、
前記複数のプロジェクタそれぞれは、前記複数のプロジェクタの電池の残量を取得し、取得された残量のうち最少の残量に基づいて該プロジェクタの光源の発光光量を制御することを特徴とする請求項１〜３のいずれか一項に記載の画像表示システム。
【請求項５】
前記複数のプロジェクタは、互いに通信接続され、
前記複数のプロジェクタのうち一のプロジェクタは、前記複数のプロジェクタの電池の残量を取得し、取得された残量のうち最少の残量に基づいて前記複数のプロジェクタの光源の発光光量を制御することを特徴とする請求項１〜３のいずれか一項に記載の画像表示システム。
【請求項６】
前記複数のプロジェクタそれぞれと通信接続される機器を備え、
前記機器は、前記複数のプロジェクタの電池の残量を取得し、取得された残量のうち最少の残量に基づいて前記複数のプロジェクタの光源の発光光量を制御することを特徴とする請求項１〜３のいずれか一項に記載の画像表示システム。
【請求項７】
前記機器は、前記複数のプロジェクタそれぞれに画像情報を送信することを特徴とする請求項６に記載の画像表示システム。
【請求項８】
光源及び該光源に電力を供給する電池をそれぞれが有する複数のプロジェクタから画像情報に基づいて変調された光を投射させて画像を表示する画像表示方法であって、
前記複数のプロジェクタの電池の残量を取得する工程と、
前記取得された前記複数のプロジェクタの電池の残量のうち最少の残量を取得する工程と、
取得された前記最少の残量に基づいて、前記複数のプロジェクタの光源の発光光量を制御する工程と、を含む画像表示方法。
【請求項９】
前記制御する工程では、前記複数の光源の発光光量をほぼ等しくすることを特徴とする請求項８に記載の画像表示方法。
【請求項１０】
前記制御する工程では、前記画像が予め指定された時間継続して表示されるように前記複数の光源の発光光量を制御することを特徴とする請求項８又は９に記載の画像表示方法。
【請求項１１】
光源及び該光源に電力を供給する電池をそれぞれが有する複数のプロジェクタから画像情報に基づいて変調された光を投射させて画像を表示する画像表示方法に用いられるプログラムであって、
前記複数のプロジェクタの電池の残量を取得する手順と、
前記取得された前記複数のプロジェクタの電池の残量のうち最少の残量を取得する手順と、
取得された前記最少の残量に基づいて、前記複数のプロジェクタの光源の発光光量を制御する手順と、を含むプログラム。
【請求項１２】
請求項１１に記載のプログラムが格納された記録媒体。
【発明の詳細な説明】
【技術分野】
【０００１】
本発明は、画像表示システム、画像表示方法、プログラム及び記録媒体に係り、更に詳しくは、複数のプロジェクタから画像情報に基づいて変調された光を投射して画像を表示する画像表示システム及び画像表示方法、該画像表示方法に用いられるプログラム、該プログラムが格納された記録媒体に関する。
【背景技術】
【０００２】
従来、光源及び該光源に電力を供給する電池を有し、画像情報に基づいて変調された光を投射して画像を表示する投影装置が知られている（例えば特許文献１参照）。
【発明の概要】
【発明が解決しようとする課題】
【０００３】
ところで、仮に特許文献１の投影装置を複数備える画像表示システム（マルチプロジェクションシステム）を構成する場合、全投影装置による画像表示を所望の時間継続して行うことができなくなるおそれがある。
【課題を解決するための手段】
【０００４】
本発明は、光源及び該光源に電力を供給する電池をそれぞれが有する複数のプロジェクタから画像情報に基づいて変調された光を投射させて画像を表示する画像表示システムにおいて、前記複数のプロジェクタの光源の発光光量を、前記複数のプロジェクタの電池の残量のうち最少の残量に基づいて制御可能なことを特徴とする画像表示システムである。
【発明の効果】
【０００５】
本発明によれば、全プロジェクタによる画像表示を所望の時間継続して行うことができる。
【図面の簡単な説明】
【０００６】
【図１】本発明の一実施形態の画像表示システムを示す図である。
【図２】図２（Ａ）及び図２（Ｂ）は、それぞれ２つのＰＪを用いた投影方法を説明するための図（その１及びその２）である。
【図３】各ＰＪの構成を示すブロック図である。
【図４】各ＰＪの制御を説明するためのフローチャートである。
【図５】一のＰＪの制御を説明するためのフローチャートである。
【図６】機器の制御を説明するためのフローチャートである。
【発明を実施するための形態】
【０００７】
以下、本発明の一実施形態を、図１〜図４を参照して説明する。図１には、本実施形態に係る画像表示システム１００の概略的構成が示されている。画像表示システム１００は、複数（例えば２つ）のプロジェクタ１０Ａ、１０Ｂを備え、マルチプロジェクションシステムを構成している。各プロジェクタを、便宜上「ＰＪ」とも表記する。
【０００８】
画像表示システム１００は、２つのプロジェクタ１０Ａ、１０Ｂを用いて少なくとも１つの画像を表示することができる。具体的には、画像表示システム１００は、各プロジェクタからの投影画像を組み合わせて１つの大きな画像を表示（シングルスクリーン投影）したり、各プロジェクタからの投影画像を並べて複数の画像を表示（マルチスクリーン投影）することができる。
【０００９】
ここで、プロジェクタ１０Ａは、一例として、プロジェクタ１０Ｂ及びＰＣ（パーソナルコンピュータ）それぞれと無線通信可能となっている。
【００１０】
ＰＣは、少なくとも１つの画像データをプロジェクタ１０Ａに無線送信する。
【００１１】
ここでは、２つのプロジェクタ１０Ａ、１０Ｂは、被投影面（例えばスクリーン面）上に投影される投影画像が重ならないように（並ぶように）配置されている。
【００１２】
そこで、ＰＣからプロジェクタ１０Ａに１つの画像データＰＤが送信されると、プロジェクタ１０Ａは、該画像データＰＤを２つの画像データＰＤａ、ＰＤｂに分割し、画像データＰＤａに基づいて変調された光である画像光を生成し、該画像光を被投影面上の領域Ａに向けて投射するとともに、画像データＰＤｂをプロジェクタ１０Ｂに無線送信する。プロジェクタ１０Ｂは、画像データＰＤｂに基づいて変調された光である画像光を生成し、該画像光を被投影面上の領域Ｂ（例えば領域Ａに隣接する領域）に向けて投射する（図２（Ａ）参照）。
【００１３】
結果として、被投影面上の領域Ａ及び領域Ｂを含む領域には、画像データＰＤに応じた１つの大きな画像Ｐが表示される。
【００１４】
また、ＰＣからプロジェクタ１０Ａに複数（例えば２つ）の画像データＰＤ１、ＰＤ２が送信されると、プロジェクタ１０Ａは、画像データＰＤ１に基づいて変調された光である画像光を生成し、該画像光を被投影面上の領域Ａに向けて投射するとともに、画像データＰＤ２をプロジェクタ１０Ｂに無線送信する。プロジェクタ１０Ｂは、画像データＰＤ２に基づいて変調された光である画像光を生成し、該画像光を被投影面上の領域Ｂ（例えば領域Ａに隣接する領域）に向けて投射する（図２（Ｂ）参照）。
【００１５】
結果として、被投影面上の領域Ａには、画像データＰＤ１に応じた画像Ｐ１が形成され、被投影面上の領域Ｂには、画像データＰＤ２に応じた画像Ｐ２が形成される。
【００１６】
図３には、各プロジェクタの構成がブロック図にて概略的に示されている。ここでは、各プロジェクタは、実質的に同一の構成を有している。そこで、２つのプロジェクタ１０Ａ、１０Ｂを、区別しない場合は、プロジェクタ１０とも称する。
【００１７】
プロジェクタ１０の投影方式としては、液晶方式、デジタルミラーデバイス（ＤＭＤ）を用いたＤＬＰ（Ｄｉｇｉｔａｌ  Ｌｉｇｈｔ  Ｐｒｏｃｅｓｓｉｎｇ）方式、光走査方式などが挙げられる。本実施形態では、液晶方式を例にとり説明する。
【００１８】
プロジェクタ１０は、一例として、光源２０ａ、液晶パネル群２０ｂ及び投射レンズ２０ｃを含む光投射系２０と、ＣＰＵ３０ａ、画像処理部３０ｂ、液晶駆動部３０ｃ、光源電力供給部３０ｄ及び無線ＬＡＮ通信部３０ｅを含む制御系と、バッテリー４０ａ及び電源回路４０ｂを含む電力供給系４０とを有している。
【００１９】
ＣＰＵ３０ａは、画像処理部３０ｂ、液晶駆動部３０ｃ、光源電力供給部３０ｄ、無線ＬＡＮ通信部３０ｅ、電源回路４０ｂを統括的に制御する。
【００２０】
ＣＰＵ３０ａは、プロジェクタ１０の起動時、不図示の電源ボタンがユーザにより押し下げられたことを検出し、電源回路４０ｂに対して、各部へ電力を供給させる指示を出す。
【００２１】
電源回路４０ｂは、ＣＰＵ３０ａからの指示に従ってバッテリー４０ａからの電力供給を制御するとともに、バッテリー４０ａの容量情報を例えば起動時に検出し、バッテリー４０ａの残量情報をリアルタイムに又は定期的に検出する。
【００２２】
プロジェクタ１０は、上述したＰＣの他、ＤＶＤプレイヤ、ブルーレイプレーヤ、デジタルカメラ、タブレット端末、ＵＳＢメモリ、テレビ会議端末、セットトップボックスなどの機器からの画像情報に応じた画像を投影することが可能である。これらの機器（以下では、単に「機器」と称する）は、プロジェクタ１０に対し、無線ＬＡＮ通信部３０ｅを介して無線接続又は画像入力端子５０を介して有線接続される。そして、機器は、画像情報を画像処理部３０ｂに無線又は有線で送信する。
【００２３】
画像処理部３０ｂは、入力された画像情報に対して、コントラスト調整、明るさ調整、シャープネス調整、スケーリング処理、メニュー情報の重畳（ＯＳＤ：Ｏｎ  Ｓｃｒｅｅｎ  Ｄｉｓｐｌａｙ）などの処理を施す。
【００２４】
光源２０ａとしては、例えばリフレクタ付きの高圧水銀ランプが用いられている。光源２０ａは、白色光を出射する。
【００２５】
光源２０ａには、光源電力供給部３０ｄから電力が供給される。光源２０ａの発光光量（発光強度）は、光源電力供給部３０ｄ（バラスト：安定器）をＣＰＵ３０ａで制御することにより調整される。光源電力供給部３０ｄには、バッテリー４０ａから電源回路４０ｂを介して電力が供給される。
【００２６】
ここでは、バッテリー４０ａとして、外付け型の大容量のものが採用されている。なお、例えば光源をＬＥＤやレーザとする場合には、内蔵型の小容量のバッテリーを用いることも可能である。「バッテリー」は、充電可能な二次電池（例えば蓄電池）であっても良いし、充電不能な一次電池（例えば乾電池）であっても良い。
【００２７】
光源２０ａからの光の光路上には、赤（Ｒ）、緑（Ｇ）、青（Ｂ）の光の三原色に個別に対応する３つのダイクロイックミラー（不図示）が順次配置されている。各ダイクロイックミラーは、入射された光のうち対応する色の光を反射し、それ以外の色の光を透過させる。
【００２８】
液晶パネル群２０ｂは、赤（Ｒ）、緑（Ｇ）、青（Ｂ）の光の三原色に対応する３つの液晶パネル（不図示）を含む。
【００２９】
液晶駆動部３０ｃは、画像処理部３０ｂで処理が施された画像情報を、各液晶パネルを駆動するための色毎の画像信号に変換し、該画像信号を該液晶パネルに出力する。
【００３０】
各液晶パネルは、対応するダイクロイックミラーからの反射光の光路上に配置され、入力された画像信号に基づいて該反射光を変調し、画像光を生成する。
【００３１】
各液晶パネルで生成された画像光は、合成され、投射レンズ２０ｃに入射され、被投影面に向けて投射される。
【００３２】
この結果、被投影面上に、画像情報に応じたカラーの画像が拡大投影（表示）される。
【００３３】
無線ＬＡＮ通信部３０ｅは、無線ＬＡＮのアクセスポイント機能とクライアント機能を持つ。
【００３４】
無線ＬＡＮのアクセスポイントは、無線ＬＡＮで接続するクライアント機器のために無線ＬＡＮと有線ＬＡＮを相互互換するものである。
【００３５】
クライアント機器がアクセスポイントを中継して通信するためには、インフラストラクチャーモードでアクセスポイントに接続する必要がある。
【００３６】
インフラストラクチャー接続には、無線ＬＡＮアクセスポイントを識別するためのＳＳＩＤという設定値がある。
【００３７】
クライアント機器は、接続する無線ＬＡＮアクセスポイントのＳＳＩＤを設定する。また、セキュリティのため、無線ＬＡＮアクセスポイントには、通信データを暗号化するための暗号キーを設定することができる。
【００３８】
暗号キーの種類には、ＷＥＰ（Ｗｉｒｅｄ  Ｅｑｕｉｖａｌｅｎｔ  Ｐｒｉｖａｃｙ）、ＷＰＡ（Ｗｉ−Ｆｉ  Ｐｒｏｔｅｃｔｅｄ  Ａｃｃｅｓｓ）、ＷＰＡ２（Ｗｉ−Ｆｉ  Ｐｒｏｔｅｃｔｅｄ  Ａｃｃｅｓｓ  ２）などがある。一般的に、暗号キーはＳＳＩＤ毎に異なるキーを設定する。
【００３９】
そこで、プロジェクタ１０Ａをアクセスポイントとし、プロジェクタ１０Ｂをクライアントとして無線接続することができる。そして、アクセスポイントのプロジェクタ１０Ａに、ＰＣをクライアントとして無線接続することができる（図１参照）。
【００４０】
この場合、アクセスポイントのプロジェクタ１０Ａとクライアントのプロジェクタ１０Ｂとが無線接続され、同じネットワーク系に存在するため、互いの情報を共有することができる。
【００４１】
なお、プロジェクタ１０Ａとプロジェクタ１０Ｂとの間、プロジェクタ１０Ａと機器との間、プロジェクタ１０Ｂと機器との間の少なくとも１つが、有線接続されていても良い。
【００４２】
具体的には、機器をプロジェクタ１０の画像入力端子５０に例えばＶＧＡケーブルやＨＤＭＩ（登録商標）ケーブルを介して有線接続しても良い。また、２つのプロジェクタ１０Ａ、１０Ｂを例えばＶＧＡケーブルやＨＤＭＩ（登録商標）ケーブルを介して有線接続しても良い。
【００４３】
また、機器と各プロジェクタとを無線接続しても良い。この場合、機器から各プロジェクタに画像情報の少なくとも一部を送信しても良い。
【００４４】
ところで、前述したように、光源２０ａの発光光量（発光強度）は、光源電力供給部３０ｄ（バラスト）をＣＰＵ３０ａで制御することにより調整できる。
【００４５】
この場合、光源２０ａの発光光量が大きくなるにつれて、被投影面上に投影される画像の輝度が高くなる。
【００４６】
また、光源２０ａの発光光量が大きいほど、すなわち投影画像の輝度が高いほど、消費電力量が大きくなる。
【００４７】
各プロジェクタの消費電力量の大きさは、光源２０ａの発光光量にほぼ比例するので、該プロジェクタによる投影画像の輝度と消費電力量の関係を、該プロジェクタのパラメータとして持つことができる。
【００４８】
ここで、ユーザは、投影画像に関するメニューの設定を、操作部６０を介して行うことができる。例えば、プロジェクタ１０を授業や講演で使用する際、操作部６０を介して、所望の投影時間である指定投影時間を、例えば表示部（不図示）に表示され又は被投影面に投影されるＯＳＤメニューにより設定することができる。
【００４９】
ところで、例えば電源供給が困難な地域や電源設備が整っていない地域での授業や講演などで、複数のプロジェクタを用いてシングルスクリーン投影やマルチスクリーン投影を、所定の授業時間や講演時間（指定投影時間）で行う場合、プロジェクタ間で投影画像の輝度が異なってしまうことや、複数のプロジェクタのバッテリーの残量が異なり、一のプロジェクタのバッテリーが他のプロジェクタのバッテリーよりも先に切れてしまうことが想定される。この場合、授業や講演に支障を来たしてしまう。
【００５０】
そこで、各プロジェクタは、図４に示される一連の処理行う。図４のフローチャートは、ＣＰＵ３０ａによって実行される処理アルゴリズムに基づいている。ここでの一連の処理は、ユーザにより指定投影時間が設定されたときに開始される。
【００５１】
最初のステップＳ１では、自己のバッテリー４０ａの残量情報及び容量情報を、電源回路４０ｂを介して取得する。
【００５２】
次のステップＳ２では、他のプロジェクタのバッテリー４０ａの残量情報を取得する。具体的には、無線ＬＡＮのアクセスポイント機能にて、他のプロジェクタと無線ＬＡＮ接続された際、接続時点での該他のプロジェクタのバッテリー４０ａの残量情報を取得する。すなわち、各ＰＪは、互いにバッテリー４０ａの残量情報を共有する。
【００５３】
次のステップＳ３では、全プロジェクタ１０のバッテリー４０ａの残量を比較し、該残量のうち最少の残量を取得する。
【００５４】
次のステップＳ４では、取得された最少の残量に基づいて、自己の光源の発光光量を設定する。この発光光量は、最少の残量及び指定投影時間に応じた所定値、すなわち最少の残量で指定投影時間、継続して（フルに）投影可能な値（好ましくは、最大値）に設定される。
【００５５】
例えば、バッテリー４０ａの容量が光源２０ａの発光光量が１００％のときに６０分間の投影が可能な容量である場合、光源２０ａの発光光量が５０％のときは、１２０分間の投影が可能である。
【００５６】
そして、バッテリー４０ａの残量が１００％（フル充電状態）のプロジェクタと、バッテリー４０ａの残量が５０％のプロジェクタとを組み合わせてシングルスクリーン投影又はマルチスクリーン投影をする際、指定投影時間が「６０分」である場合、いずれのプロジェクタの光源も「５０％」の発光光量で発光させる。この結果、いずれの投影画像の輝度も均一となり、かつ指定された投影時間の投影が可能となる。
【００５７】
ステップＳ４が実行されると、フローは、終了する。
【００５８】
以上説明した本実施形態の画像表示システム１００は、光源２０ａ及び該光源２０ａに電力を供給するバッテリー（電池）をそれぞれが有する複数のプロジェクタ１０から画像情報に基づいて変調された光（画像光）を投射させて少なくとも１つの画像を表示する画像表示システムであり、複数のプロジェクタ１０の光源２０ａの発光光量を、複数のプロジェクタ１０のバッテリーの残量のうち最少の残量に基づいて制御する。
【００５９】
この場合、各プロジェクタ１０の光源２０ａの発光光量を前記最少の残量に応じた値に設定できるため、複数のプロジェクタ１０から所望の時間継続して画像光を投射させることができる。
【００６０】
この結果、複数のプロジェクタ１０による画像表示を所望の時間継続して行うことができる。
【００６１】
また、複数のプロジェクタ１０の光源２０ａの発光光量は、予め指定された時間、前記画像が表示されるように制御されるため、例えば授業や講演等が行われる指定投影時間、複数のプロジェクタ１０による画像表示を継続することができる。
【００６２】
また、複数のプロジェクタ１０の光源２０ａの発光光量がほぼ等しくされるため、投影画像の輝度がほぼ一律となり、視認性を向上できる。
【００６３】
また、複数のプロジェクタ１０は、互いに通信接続され、該複数のプロジェクタ１０それぞれは、複数のプロジェクタ１０のバッテリー４０ａの残量を取得し、取得された残量のうち最少の残量に基づいて該プロジェクタ１０の光源２０ａの発光光量を制御する。
【００６４】
この場合、各プロジェクタ１０は、互いにバッテリー４０ａの残量を共有できるため、該プロジェクタ１０は、最少の残量をリアルタイムに取得でき、取得した残量に基づいて自己の光源２０ａの発光光量を設定できる。
【００６５】
また、本実施形態の画像表示システム１００を用いて行われる画像表示方法は、光源２０ａ及び該光源２０ａに電力を供給するバッテリー４０ａをそれぞれが有する複数のプロジェクタ１０から画像情報に基づいて変調された光を投射させて画像を表示する画像表示方法であり、複数のプロジェクタ１０のバッテリー４０ａの残量を取得する工程と、取得された複数のプロジェクタ１０のバッテリー４０ａの残量のうち最少の残量を取得する工程と、取得された前記最少の残量に基づいて、複数のプロジェクタ１０の光源２０ａの発光光量を制御する工程と、を含む画像表示方法である。
【００６６】
また、本実施形態の画像表示方法に用いられるプログラムとして、複数のプロジェクタ１０の電池の残量を取得する手順と、取得された複数のプロジェクタ１０の電池の残量のうち最少の残量に基づいて、複数のプロジェクタ１０の光源２０ａの発光光量を制御する手順と、を含むプログラムを提供できる。
【００６７】
さらに、上記プログラムが格納された記録媒体を提供することができる。
【００６８】
なお、上記実施形態では、２つのプロジェクタ１０Ａ、１０Ｂがバッテリー４０ａの残量を共有し、各プロジェクタが最少の残量に基づいて自己の光源の発光光量を制御しているが、これに限られない。
【００６９】
例えば、図５に示される変形例１のように、複数のプロジェクタ１０のうち一のプロジェクタ１０と、その他の少なくとも１つのプロジェクタ１０とが通信接続され、一のプロジェクタ１０が全プロジェクタ１０のバッテリー４０ａの残量を取得し、取得された残量のうち最少の残量に基づいて全プロジェクタ１０の光源２０ａの発光光量を制御することとしても良い。
【００７０】
変形例１では、一のプロジェクタ１０において、図５のフローチャートに示される一連の処理が行われる。ここでの一連の処理も、ユーザにより指定投影時間が設定されたときに開始される。
【００７１】
最初のステップＳ１１では、自己のバッテリー４０ａの残量を、電源回路４０ｂを介して取得する。
【００７２】
次のステップＳ１２では、他のＰＪとの無線通信により、該他のＰＪのバッテリーの残量を取得する。
【００７３】
次のステップＳ１３では、全ＰＪのバッテリーの残量のうち最少の残量を取得する。
【００７４】
次のステップＳ１４では、全ＰＪの光源の発光光量を最少の残量に基づいて設定する。ここでの設定は、上記ステップＳ４と同様に行われる。
【００７５】
次のステップＳ１５では、設定された発光光量を他のＰＪに送信する。ステップＳ１５が実行されると、フローは、終了する。
【００７６】
各ＰＪは、自己の光源を設定された発光光量で発光させる。
【００７７】
すなわち、変形例１では、複数のプロジェクタ１０のうち一のプロジェクタ１０が親機となり、自己の光源の発光光量及びその他の少なくとも１つのプロジェクタ（子機）の光源の発光光量を制御する。
【００７８】
この場合、一のプロジェクタ１０が全プロジェクタの光源の制御装置として機能するため、システム全体の制御を簡略化できる。
【００７９】
また、例えば、図６に示される変形例２のように、複数のプロジェクタ１０それぞれと通信接続される機器（例えばＰＣ）が、全プロジェクタ１０のバッテリー４０ａの残量を取得し、取得された残量のうち最少の残量に基づいて全プロジェクタ１０の光源の発光光量を制御することとしても良い。
【００８０】
変形例２では、機器（例えばＰＣ）において、図６のフローチャートに示される一連の処理が行われる。なお、予め機器に、全プロジェクタの光源の発光光量を制御するための専用のアプリがダウンロードされている。そこで、該アプリを立ち上げておく。ここでの一連の処理は、ユーザにより機器にて指定投影時間が設定されたときに開始される。
【００８１】
最初のステップＳ２１では、全ＰＪとの無線通信により、全ＰＪのバッテリーの残量を取得する。
【００８２】
次のステップＳ２２では、全ＰＪのバッテリーの残量のうち最少の残量を取得する。
【００８３】
次のステップＳ２３では、全ＰＪの光源の発光光量を最少の残量に基づいて設定する。ここでの設定は、上記ステップＳ４と同様に行われる。
【００８４】
次のステップＳ２４では、設定された発光光量を各ＰＪに送信する。
【００８５】
各ＰＪは、自己の光源を設定された発光光量で発光させる。
【００８６】
結果として、変形例２では、機器（例えばＰＣ）が全プロジェクタの光源の制御装置として機能するため、各プロジェクタの制御を簡略化できる。
【００８７】
さらに、機器から各プロジェクタに画像情報の少なくとも一部を送信することとすれば、プロジェクタ間を通信接続する必要がない。
【００８８】
また、上記実施形態及び各変形例では、全ＰＪの光源の発光光量がほぼ等しくされているが、これに限られない。例えば、バッテリーの残量が多いＰＪの光源の発光光量をバッテリーの残量が少ないＰＪの光源の発光光量よりも幾分大きくしても良い。いずれにしても、全ＰＪの光源の発光光量は、極力均一であることが望ましい。
【００８９】
また、上記実施形態及び各変形例では、画像表示システム１００は、全ＰＪのバッテリー４０ａの残量情報を、指定投影時間が設定されたときに取得しているが、これに限られない。
【００９０】
また、上記実施形態及び各変形例では、プロジェクタ１０の光源として、ランプが用いられているが、これに限らず、例えば、ＬＥＤ（発光ダイオード）、レーザ、有機ＥＬ素子等を用いても良い。
【００９１】
また、上記実施形態及び各変形例において、２つのプロジェクタ１０Ａ、１０Ｂは、被投影面上に投影される投影画像が一部重なるように配置されても良い。
【００９２】
また、上記実施形態及び各変形例では、画像表示システム１００は、２つのＰＪを有しているが、３つ以上のＰＪを有していても良い。そして、３つ以上のＰＪを用いてシングルスクリーン投影又はマルチスクリーン投影を行っても良い。
【符号の説明】
【００９３】
１０…プロジェクタ、２０ａ…光源、４０ａ…バッテリー（電池）、１００…画像表示システム。
【先行技術文献】
【特許文献】
【００９４】
【特許文献１】特開２００９−２４４３４１号公報
【図２】
2015146524.tif 000003
【図４】
2015146524.tif 000004
【図５】
2015146524.tif 000005
【図６】
2015146524.tif 000006
【図１】
2015146524.tif 000007
【図３】
2015146524.tif 000008